(57)【要約】【課題】磁気テープ用リールにおいて、磁気テープの縁を傷めないで、且つ段巻きが発生しないようにすることを課題とする。【解決手段】フランジ２２の面２４及びフランジ２３の面２７は、凹部２５、２８と凸部２６、２９とが交互に繰り返されている構成である。フランジ２２の凹部２５とフランジ２３の凸部２９とが対向し、且つ、フランジ２２の凸部２６とフランジ２３の凹部２８とが対向している。フランジ２２の凸部２６とフランジ２３の凸部２９とが、磁気テープの縁を千鳥状に規制する。【選択図】　　　図１
2004046930.tif 000002
【特許請求の範囲】
【請求項１】
一対のフランジが対向している構成であり、帯状体を巻き取って該一対のフランジの間に帯状体の巻回体を形成するリールにおいて、
該一対のフランジのうち少なくとも一のフランジは、別のフランジと対向する面が、少なくともその一部に、該リールの周方向上、凹部と凸部とが交互に繰り返される構造の部分を有する構成であり、
上記一のフランジについては、帯状体がその縁を該フランジの凸部に接触されて部分的に規制される構成としたことを特徴とするリール。
【請求項２】
一対のフランジが対向している構成であり、帯状体を巻き取って該一対のフランジの間に帯状体の巻回体を形成するリールにおいて、
該一対のフランジの夫々は、別のフランジと対向する面が、少なくともその一部に、該リールの周方向上、凹部と凸部とが交互に繰り返される構造の部分を有する構成であり、
且つ、該一対のフランジは、一のフランジの凸部が、別のフランジの凹部と対向する位置関係にある構成であり、
帯状体がその長手方向上、幅方向の両側の縁を一のフランジの凸部と別のフランジの凸部とに交互に接触されて規制される構成としたことを特徴とするリール。
【請求項３】
情報を記録すべく磁気テープを走行させる磁気テープドライブ装置であって、請求項１又は請求項２記載のリールを備えた構成の磁気テープドライブ装置。
【発明の詳細な説明】
【０００１】
【発明の属する技術分野】
本発明はリール及びこのリールを備えた磁気テープドライブ装置に関する。
【０００２】
【従来の技術】
図８は従来の磁気テープ用リール１を示す。リール１は、ハブ２とこの両端のフランジ３、４とよりなる構成である。フランジ３、４は、その対向する面５、６が平面である構成である。フランジ３、４の平面５、６の間の寸法Ａは、磁気テープの縁を傷めないように、磁気テープ４０の幅Ｗと等しいかこれよりわずかに大きい寸法に定めてある。
【０００３】
【発明が解決しようとする課題】
このため、リール１が回転して磁気テープを巻き取った場合に、磁気テープの縁がフランジ３、４の平面５、６に強く当たって磁気テープの縁が傷んでしまうことは起きないけれども、磁気テープの縁に対する規制が緩いため、符号１０で示すように、磁気テープが段巻きされることが起きる場合がある。
【０００４】
磁気テープが段巻きされていると、磁気テープがリール１から引き出されるときに、段巻きの場所で、走行する磁気テープのパスが磁気テープの幅方向に振れて、その状況によっては、磁気テープの磁気ヘッドに対する相対位置がずれてオフトラックが起きて情報の記録再生の特性が低下してしまうという問題があった。
【０００５】
なお、フランジ３、４の平面５、６の間の寸法Ａを磁気テープの幅よりわずかに小さい寸法に定めた場合には、磁気テープの縁に対する規制が強くなって、磁気テープの段巻きは抑制されるけれども、磁気テープの縁を傷めてしまうという別の問題が発生してしまい、好ましくない。
【０００６】
そこで、本発明は、上記課題を解決したリール及びこのリールを備えた磁気テープドライブ装置を提供することを目的とする。
【０００７】
【課題を解決するための手段】
請求項１の発明は、一対のフランジが対向している構成であり、帯状体を巻き取って該一対のフランジの間に帯状体の巻回体を形成するリールにおいて、
該一対のフランジのうち少なくとも一のフランジは、別のフランジと対向する面が、少なくともその一部に、該リールの周方向上、凹部と凸部とが交互に繰り返される構造の部分を有する構成であり、
上記一のフランジについては、帯状体がその縁を該フランジの凸部に接触されて部分的に規制される構成としたものである。
【０００８】
請求項２の発明は、一対のフランジが対向している構成であり、帯状体を巻き取って該一対のフランジの間に帯状体の巻回体を形成するリールにおいて、
該一対のフランジの夫々は、別のフランジと対向する面が、少なくともその一部に、該リールの周方向上、凹部と凸部とが交互に繰り返される構造の部分を有する構成であり、
且つ、該一対のフランジは、一のフランジの凸部が、別のフランジの凹部と対向する位置関係にある構成であり、
帯状体がその長手方向上、幅方向の両側の縁を一のフランジの凸部と別のフランジの凸部とに交互に接触されて規制される構成としたものである。
【０００９】
請求項３の発明は、情報を記録すべく磁気テープを走行させる磁気テープドライブ装置であって、請求項１又は請求項２記載のリールを備えた構成としたものである。
【００１０】
【発明の実施の形態】
図１及び図２（Ａ）、（Ｂ）、（Ｃ）は本発明の第１実施例になる磁気テープ用リール２０を示す。リール２０は、ハブ２１とこの両端の長方形のフランジ２２、２３とよりなる構成である。
【００１１】
フランジ２２のフランジ２３と対向する面２４は、リール２０の周方向上、凹部２５と凸部２６とが交互に繰り返されている構造である。凹部２５と凸部２６とはリール２０の径方向（フランジ２２の長手方向）の全長に亘っている。凹部２５と凸部２６との差ΔＺ１は数１０μｍから数１００μｍであり、リール２０の円周方向の３０°から９０°を１周期として凹部２５と凸部２６が形成されており、凹部２５と凸部２６とは緩やかな波面である。
【００１２】
フランジ２３のフランジ２２と対向する面２７は、フランジ２２の面２４と同様に、リール２０の周方向上、凹部２８と凸部２９とが交互に繰り返されている構造である。凹部２８と凸部２９とはリール２０の径方向（フランジ２２の長手方向）の全長に亘っている。凹部２８と凸部２９との差ΔＺ２は数１０μｍから数１００μｍであり、リール２０の円周方向の３０°から９０°を１周期として凹部２８と凸部２９が形成されており、凹部２８と凸部２９とは緩やかな波面である。図１及び図２（Ｃ）では、図示の便宜上、凹部２５、２８と凸部２６、２９とは誇張して示してある。
【００１３】
フランジ２２とフランジ２３とは、以下の位置関係にある。フランジ２２の凹部２５とフランジ２３の凸部２９とが対向し、且つ、フランジ２２の凸部２６とフランジ２３の凹部２８とが対向している。フランジ２２の凸部２６とフランジ２３の凸部２９との間の寸法Ｂは、磁気テープ４０の幅寸法Ｗと等しいかこれより僅かに狭い寸法である。フランジ２２の凸部２６とフランジ２３の凹部２５との間の寸法Ｃ１（フランジ２２の凹部２５とフランジ２３の凸部２９との間の寸法Ｃ２）は、磁気テープ４０の幅寸法Ｗより僅かに広い寸法である。
【００１４】
図３は上記の磁気テープ用リール２を備えている本発明になるリニアテープストレージドライブ５０を示す。リール２０は、モータ５１のスピンドル５１ａに固定されて組み込まれる。リニアテープストレージドライブ５０は、コンピュータシステムのバックアップ用であり、リール２０の他に、テープカートリッジが装着されるテープカートリッジ装着部５２と、ヘッドアッセンブリ５３、テープガイドローラ５４，５５等を有する。リニアテープストレージドライブ５０は、テープカートリッジがテープカートリッジ装着部５２に装着された状態で動作され、最初に、モータ５１によってリール２０がテープ巻取り方向（時計方向）に回転され、磁気テープ４０がテープカートリッジから引き出され、テープガイドローラ５４、ヘッドアッセンブリ５３、テープガイドローラ５５を経て、リール２０に巻き取られ、磁気テープ４０が順方向に走行され、ヘッドアッセンブリ５３によって情報が書き込まれる。図４に示すようにリール２０には磁気テープ４０の巻回体４１が形成される。次いで、ヘッドアッセンブリ５３が磁気テープ４０の幅方向にシフトされ、テープカートリッジ装着部５２のモータ５７が駆動され、磁気テープ４０がリール２０の巻回体４１から引き出され、テープガイドローラ５５、ヘッドアッセンブリ５３、テープガイドローラ５４を経て、テープカートリッジ内のリールに巻き取られ、磁気テープ４０が逆方向に走行され、ヘッドアッセンブリ５３によって情報が書き込まれる。以上の動作が繰り返し行われ、磁気テープ４０に大量のデータが記録され、コンピュータシステムがバックアップされる。
【００１５】
次に、リール２０が磁気テープ４０を巻き取るときの動作について、図４を参照して説明する。
【００１６】
リール２０が時計方向に回転されると、テープガイドローラ５５に案内されてリール２０に到る磁気テープ４０が、それまでに形成されている巻回体の外周に巻き取られて一の巻回部分４５を順に形成して、磁気テープ巻回体４１が形成される。
【００１７】
新たに一の巻回部分４５が形成される過程を見てみると、テープガイドローラ５５からリール２０に到る磁気テープ４０は、図４（Ａ）に二点鎖線で示すように、フランジ２２、２３と相対的に交差し、フランジ２２の面２４の凸部２６によって上側の縁４２を規制されつつ、フランジ２３の面２７の凸部２９によって下側の縁４３を規制されつつ、巻回体の外周に巻き付けられる。形成された巻回部分４５は、フランジ２２、２３を横切る部分では、図４（Ｃ）に示すように、上側の縁４２をフランジ２２の面２４の凸部２６によって規制され、下側の縁４３をフランジ２３の面２７の凸部２９によって規制された状態となる。次の新たな一の巻回部分も上記と同様に形成される。よって、段巻きは起きず、磁気テープの巻回体４１は、巻き段差を発生することなく形成される。
【００１８】
ここで、図４（Ｃ）に示すように、フランジ２２、２３の対向する面２４、２７は、フランジ２２の凹部２５とフランジ２３の凸部２９とが対向し、且つ、フランジ２２の凸部２６とフランジ２３の凹部２８とが対向している構成となっているため、磁気テープの同じ個所を幅方向上両側から挟まれるようにして規制されることはなく、規制される部位は符号４６、４７、４８で示す場所となり、磁気テープの長手方向上千鳥状となり、磁気テープの幅方向上、一方側が規制されると、反対側はフリーとなる関係となる。よって、磁気テープ４０は位置を規制されるけれども、縁４２、４３が傷むことが防止される。
【００１９】
なお、上記のようにリール２０の磁気テープの巻回体４１は巻き段差を発生することなく形成されるため、図３に示すリニアテープストレージドライブ５０において磁気テープ４０が逆方向に走行されるときに、リール２０の巻回体４１から引き出された磁気テープ４０は磁気テープの幅方向に振れることが起きず、よって、オフトラックも起きず、ヘッドアッセンブリ５３による情報の記録再生の特性は良好に維持される。
【００２０】
図５（Ａ）、（Ｂ）は本発明の第２実施例になる磁気テープ用リール２０Ａを示す。リール２０Ａは、フランジ２２Ａ、２３Ａが円形である以外は、図１に示す磁気テープ用リール２０と同じである。フランジ２２Ａの面２４Ａは全周に亘って凹部２５と凸部２６とが交互に繰り返されている構成である。フランジ２３Ａの面２７Ａは全周に亘って凹部２８と凸部２９とが交互に繰り返されている構成である。フランジ２２Ａとフランジ２３Ａとは、凹部２５と凸部２９とが対向し、凸部２６と凹部２８とが対向する関係にある。磁気テープ巻回体は、磁気テープの縁を傷めることなく、且つ巻き段差を発生することなく形成される。
【００２１】
図６（Ａ）、（Ｂ）は本発明の第３実施例になる磁気テープ用リール２０Ｂを示す。リール２０Ｂは、上記のリール２０Ａとは、凹部と凸部とが全周に亘ってではなく、一部に形成されている点が相違する。５０は、凹部と凸部とが形成されている領域である。磁気テープ巻回体は、磁気テープの縁を傷めることなく、且つ巻き段差を発生することなく形成される。
【００２２】
図７（Ａ）、（Ｂ）、（Ｃ）は本発明の第４実施例になる磁気テープ用リール２０Ｄを示す。リール２０Ｄは、図２に示すリール２０とは、凹部と凸部とが一方のフランジ２２にのみ形成してあり、他方のフランジ２３Ｄには凹部と凸部とが形成されていずに、平らな面である構成である。磁気テープ巻回体は、磁気テープの縁を傷めることなく、且つ巻き段差を発生することなく形成される。
【００２３】
なお、本発明のリールは、磁気テープ用のリールに限らず、シート等の帯状体の巻回体を形成するリールにも適用が可能である。
【００２４】
【発明の効果】
上述の如く、本発明のリールによれば、一対のフランジの対向する面が凹部と凸部とが交互に繰り返される構成であり、且つ一のフランジの凸部が別のフランジの凹部と対向する位置関係である構成であり、帯状体がその長手方向上幅方向の両側の縁を一のフランジの凸部と別のフランジの凸部とに交互に接触されて規制される構成としたものであるため、段巻きの無い帯状体を、帯状体の縁を傷めることなく形成することが出来る。
【００２５】
また、本発明の磁気テープドライブ装置によれば、リールから引き出される磁気テープに振れが起きず、よってオフトラックが発生しにくくなり、記録再生を良好に行うことが出来る。
【図面の簡単な説明】
【図１】本発明の第１実施例になる磁気テープ用リールの斜視図である。
【図２】図１の磁気テープ用リールを示す図である。
【図３】図１の磁気テープ用リールを有する本発明になるリニアテープストレージドライブの斜視図である。
【図４】図３中のリールへの磁気テープ巻回体の形成を説明する図である。
【図５】本発明の第２実施例になる磁気テープ用リールを示す図である。
【図６】本発明の第３実施例になる磁気テープ用リールを示す図である。
【図７】本発明の第４実施例になる磁気テープ用リールを示す図である。
【図８】従来の磁気テープ用リールを示す図である。
【符号の説明】
２０、２０Ａ〜２０Ｄ，　磁気テープ用リール
２１　ハブ
２２，２３　フランジ
２５，２８　凹部
２６，２９　凸部
４０　磁気テープ
４１　磁気テープ巻回体
４２，４３　縁部
５０　リニアテープストレージドライブ
５２　テープカートリッジ装着部
５３　ヘッドアッセンブリ
５４，５５　テープガイドローラ
【図１】
2004046930.tif 000003
【図２】
2004046930.tif 000004
【図３】
2004046930.tif 000005
【図４】
2004046930.tif 000006
【図５】
2004046930.tif 000007
【図６】
2004046930.tif 000008
【図７】
2004046930.tif 000009
【図８】
2004046930.tif 000010